(57)【要約】  営農指導支援装置１００は、指導員による生産者への営農指導を支援するため、農地毎に、当該農地における農作物の属性を管理する、データ管理部１１と、生産者に通知すべき通知文毎に、当該通知文について予め設定された適用条件が満たされているかどうかを判定し、適用条件を満たす通知文が存在する場合に、その通知文及びその通知対象となる生産者を特定する情報を出力する、通知文作成部１２と、を備えている。
2015182378.tif 000002
【特許請求の範囲】
【請求項１】
指導員による生産者への営農指導を支援するための装置であって、
農地毎に、当該農地における農作物の属性を管理する、データ管理部と、
前記生産者に通知すべき通知文毎に、当該通知文について予め設定された適用条件が満たされているかどうかを判定し、前記適用条件を満たす通知文が存在する場合に、前記適用条件を満たす通知文、及びその通知対象となる前記生産者を特定する情報を出力する、通知文作成部と、
を備えている、ことを特徴とする営農指導支援装置。
【請求項２】
前記農産物が果実である場合に、前記データ管理部が、前記農産物の属性として、糖度、酸度、サイズ、及び葉の形を管理する、
請求項１に記載の営農指導支援装置。
【請求項３】
前記適用条件が、時期及び前記農作物の属性のうち、少なくとも１つを用いて設定されている、請求項１または２に記載の営農指導支援装置。
【請求項４】
前記データ管理部によって管理されている前記属性を用いた作成基準に基づいて、前記農地毎のランクを示す成績表を作成し、作成した前記成績表を出力する、成績表管理部を、更に備えている、
請求項１〜３のいずれかに記載の営農指導支援装置。
【請求項５】
前記農地毎に、前記生産者に提示するために予め作成された複数のアドバイスの中から、前記データ管理部によって管理されている前記属性が、予め設定されている選択状件を満たす、アドバイスを選択し、選択した前記アドバイスを出力する、アドバイス作成部を、更に備えている、
請求項１〜４のいずれかに記載の営農指導支援装置。
【請求項６】
指導員による生産者への営農指導を支援するための方法であって、
（ａ）農地毎に、当該農地における農作物の属性を管理する、ステップと、
（ｂ）前記生産者に通知すべき通知文毎に、当該通知文について予め設定された適用条件が満たされているかどうかを判定し、前記適用条件を満たす通知文が存在する場合に、前記適用条件を満たす通知文、及びその通知対象となる前記生産者を特定する情報を出力する、ステップと、
を有する、ことを特徴とする営農指導支援方法。
【請求項７】
前記農産物が果実である場合に、前記（ａ）のステップにおいて、前記農産物の属性として、糖度、酸度、サイズ、及び葉の形を管理する、
請求項６に記載の営農指導支援方法。
【請求項８】
前記適用条件が、時期及び前記農作物の属性のうち、少なくとも１つを用いて設定されている、請求項６または７に記載の営農指導支援方法。
【請求項９】
（ｃ）前記（ａ）のステップによって管理されている前記属性を用いた作成基準に基づいて、前記農地毎のランクを示す成績表を作成し、作成した前記成績表を出力する、ステップを、更に有する、請求項６〜８のいずれかに記載の営農指導支援方法。
【請求項１０】
（ｄ）前記農地毎に、前記生産者に提示するために予め作成された複数のアドバイスの中から、前記（ａ）のステップによって管理されている前記属性が、予め設定されている選択状件を満たす、アドバイスを選択し、選択した前記アドバイスを出力する、ステップを、更に有する、請求項６〜９のいずれかに記載の営農指導支援方法。
【請求項１１】
コンピュータによって、指導員による生産者への営農指導を支援するためのプログラムを記録したコンピュータ読み取り可能な記録媒体であって、
前記コンピュータに、
（ａ）農地毎に、当該農地における農作物の属性を管理する、ステップと、
（ｂ）前記生産者に通知すべき通知文毎に、当該通知文について予め設定された適用条件が満たされているかどうかを判定し、前記適用条件を満たす通知文が存在する場合に、前記適用条件を満たす通知文、及びその通知対象となる前記生産者を特定する情報を出力する、ステップと、
を実行させる命令を含む、プログラムを記録しているコンピュータ読み取り可能な記録媒体。
【請求項１２】
前記農産物が果実である場合に、前記（ａ）のステップにおいて、前記農産物の属性として、糖度、酸度、サイズ、及び葉の形を管理する、
請求項１１に記載のコンピュータ読み取り可能な記録媒体。
【請求項１３】
前記適用条件が、時期及び前記農作物の属性のうち、少なくとも１つを用いて設定されている、請求項１１または１２に記載のコンピュータ読み取り可能な記録媒体。
【請求項１４】
前記プログラムが、前記コンピュータに、
（ｃ）前記（ａ）のステップによって管理されている前記属性を用いた作成基準に基づいて、前記農地毎のランクを示す成績表を作成し、作成した前記成績表を出力する、ステップを、実行させる命令を更に含む、請求項１１〜１３のいずれかに記載のコンピュータ読み取り可能な記録媒体。
【請求項１５】
前記プログラムが、前記コンピュータに、
（ｄ）前記農地毎に、前記生産者に提示するために予め作成された複数のアドバイスの中から、前記（ａ）のステップによって管理されている前記属性が、予め設定されている選択状件を満たす、アドバイスを選択し、選択した前記アドバイスを出力する、ステップを、実行させる命令を更に含む、請求項１１〜１４のいずれかに記載のコンピュータ読み取り可能な記録媒体。
【発明の詳細な説明】
【技術分野】
【０００１】
本発明は、指導員による生産者への営農指導を支援する、営農指導支援装置、営農指導支援方法、及びこれらを実現するためのプログラムを記録したコンピュータ読み取り可能な記録媒体に関する。
【背景技術】
【０００２】
現在、農産物の各産地では、産地内の農家が、一定以上の品質を保つことができるように、ＪＡ（全国農業共同組合連合会）の指導員が各農家を訪問して指導することが実施されている。但し、指導員の数は少なく、現実には、一人が２００件程度の農家を受け持っているケースも多く存在する。【０００３】
このため、一人の指導員にかかる負担が大きく、指導員が各農家に対して十分な指導を行なえないという問題が発生している。このような問題を解決するための方策としては、各農家の状況に応じた適切な指導をコンピュータシステムによって行なうことが考えられる（例えば、特許文献１及び２参照。）。【０００４】
具体的には、特許文献１は、対象農地の最適化アドバイスを出力するシステムを開示している。特許文献１に開示されたシステムは、先ず、対象農地に設置された各種センサから、土中温度、土中湿度、ｐＨ、雨量、蒸発量、温度、湿度等の情報を取得する。次に、特許文献１に開示されたシステムは、取得された情報を、農業に関するデータを蓄積するデータベースに照合し、照合結果に基づいて、肥料及び農薬の投入時期、投入量を特定したアドバイスを作成し、これを各農家に向けて出力する。【０００５】
また、特許文献２も、農家に対してアドバイスを出力するシステムを開示している。特許文献２に開示されたシステムは、作物の状態又は環境の状態を示す情報が入力されると、入力された情報を予め設定されたルールに照合して、実行すべき作業を特定し、特定した作業に基づいて、農家にアドバイスを出力する。
【先行技術文献】
【特許文献】
【０００６】
【特許文献１】特開２００２−２１５７１７号公報
【０００７】
【特許文献２】特開２０１２−０３９９６４号公報
【発明の概要】
【発明が解決しようとする課題】
【０００８】
しかしながら、指導員が行わなければいけない業務としては、農家への直接指導の他に、担当する農家の農地における生育状況の調査・管理、農家に採集日や出荷結果を知らせる通知文の発行、等も挙げられる。このため、上記特許文献１又は２に開示されたシステムを採用しただけでは、指導員の負担の軽減は十分ではない。【０００９】
また、上記特許文献１及び２に開示されたシステムは、予め設定されたルール等に沿ったアドバイスしか提示できないのが実情である。従って、システムでは想定されていない状況が発生した場合は、指導員がその経験に基づいてアドバイスを行なわなければならず、そのため、アドバイスの作成以外において、指導員の負担の軽減が必要となる。【００１０】
本発明の目的の一例は、上記問題を解消し、農業支援を行なう指導員の業務の効率化を図り、指導員における負担を軽減し得る、営農指導支援装置、営農指導支援方法、及びコンピュータ読み取り可能な記録媒体を提供することにある。
【課題を解決するための手段】
【００１１】
上記目的を達成するため、本発明の一側面における営農指導支援装置は、指導員による生産者への営農指導を支援するための装置であって、
農地毎に、当該農地における農作物の属性を管理する、データ管理部と、
前記生産者に通知すべき通知文毎に、当該通知文について予め設定された適用条件が満たされているかどうかを判定し、前記適用条件を満たす通知文が存在する場合に、前記適用条件を満たす通知文、及びその通知対象となる前記生産者を特定する情報を出力する、通知文作成部と、
を備えている、ことを特徴とする。【００１２】
また、上記目的を達成するため、本発明の一側面における営農指導支援方法は、指導員による生産者への営農指導を支援するための方法であって、
（ａ）農地毎に、当該農地における農作物の属性を管理する、ステップと、
（ｂ）前記生産者に通知すべき通知文毎に、当該通知文について予め設定された適用条件が満たされているかどうかを判定し、前記適用条件を満たす通知文が存在する場合に、前記適用条件を満たす通知文、及びその通知対象となる前記生産者を特定する情報を出力する、ステップと、
を有する、ことを特徴とする。【００１３】
更に、上記目的を達成するため、本発明の一側面におけるコンピュータ読み取り可能な記録媒体は、コンピュータによって、指導員による生産者への営農指導を支援するためのプログラムを記録したコンピュータ読み取り可能な記録媒体であって、
前記コンピュータに、
（ａ）農地毎に、当該農地における農作物の属性を管理する、ステップと、
（ｂ）前記生産者に通知すべき通知文毎に、当該通知文について予め設定された適用条件が満たされているかどうかを判定し、前記適用条件を満たす通知文が存在する場合に、前記適用条件を満たす通知文、及びその通知対象となる前記生産者を特定する情報を出力する、ステップと、
を実行させる命令を含む、プログラムを記録していることを特徴とする。
【発明の効果】
【００１４】
以上のように、本発明によれば、農業支援を行なう指導員の業務の効率化を図り、指導員における負担を軽減することができる。
【図面の簡単な説明】
【００１５】
【図１】図１は、本発明の実施の形態における営農指導支援装置の概略構成を示すブロック図である。
【図２】図２は、本発明の実施の形態における営農指導支援装置の具体的構成を示すブロック図である。
【図３】図３は、本発明の実施の形態で管理される農地状況データの一例を示す図である。
【図４】図４は、本発明の実施の形態で用いられる通知文ルールの一例を示す図である。
【図５】図５は、本発明の実施の形態で用いられるアドバイスルールの一例を示す図である。
【図６】図６は、本発明の実施の形態で用いられる成績表ルールの一例を示す図である。
【図７】図７は、本発明の実施の形態における営農指導支援装置が農地状況データの登録処理を実行する際の動作を示すフロー図である。
【図８】図８は、本発明の実施の形態における営農指導支援装置が通知文作成処理を実行する際の動作を示すフロー図である。
【図９】図９は、本発明の実施の形態における営農指導支援装置がアドバイス作成処理を実行する際の動作を示すフロー図である。
【図１０】図１０は、本発明の実施の形態における営農指導支援装置が成績表作成処理を実行する際の動作を示すフロー図である。
【図１１】図１１は、本発明の実施の形態における営農指導支援装置を実現するコンピュータの一例を示すブロック図である。
【発明を実施するための形態】
【００１６】
（実施の形態）
以下、本発明の実施の形態における、営農指導支援装置、営農指導支援方法、及びプログラムについて、図１〜図８を参照しながら説明する。
【００１７】
［装置構成］
最初に、図１を用いて、本発明の実施の形態における営農指導支援装置の構成について説明する。図１は、本発明の実施の形態における営農指導支援装置の概略構成を示すブロック図である。
【００１８】
図１に示す、本実施の形態における営農指導支援装置１００は、指導員３０による生産者（図１において図示せず）への営農指導を支援するための装置である。図１に示すように、営農指導支援装置１００は、データ管理部１１と、通知文作成部１２とを備えている。
【００１９】
データ管理部１１は、農地毎に、各農地における農作物の属性を管理している。通知文作成部１２は、生産者３０に通知すべき通知文毎に、各通知文について予め設定された適用条件が満たされているかどうかを判定する。また、通知文作成部１２は、適用条件を満たす通知文が存在する場合に、適用条件を満たす通知文、及びその通知対象となる生産者を特定する情報を出力する。
【００２０】
このように、営農指導支援装置１００によれば、指導員３０は、担当する農地のデータ管理と通知文の作成とにおいて、支援を受けることができる。この結果、営農指導支援装置１００を用いることで、指導員の業務の効率化が図られ、指導員における負担が軽減されることになる。
【００２１】
ここで、図２〜図６を用いて、本実施の形態における営農指導支援装置１００の構成を更に具体的に説明する。図２は、本発明の実施の形態における営農指導支援装置の具体的構成を示すブロック図である。
【００２２】
図２に示すように、本実施の形態では、営農指導支援装置１００は、データ管理部１１、及び通知文作成部１２に加えて、アドバイス作成部１３と、成績表作成部１４と、通信部１５と、記憶部２０とを備えている。
【００２３】
また、営農指導支援装置１００は、ネットワーク（図２において図示せず）を介して、指導員３０の端末装置３１に接続されている。通信部１５は、端末装置３１との間でデータ通信を行なうための通信デバイスで構築されている。このため、指導員３０は、端末装置３１を介して、担当する農地における農作物の属性を特定する情報（以下「属性情報」と表記する。）を営農指導支援装置１００に送信することができる。また、指導員３０は、端末装置３１を介して、営農指導支援装置１００で作成された通知文及びアドバイスを受け取ることができる。
【００２４】
本実施の形態では、データ管理部１１は、指導員３０が端末装置３１を介して属性情報を送信してくると、通信部１５を介して、これを受信し、受信した属性情報によって特定される属性を、農地状況データ２１として、記憶部２０に格納し、これを管理する。ここで、属性の具体例としては、例えば、農地が果樹園であり、農作物がリンゴ、ミカン等の果実であるならば、糖度、酸度、サイズ、葉の形、等が挙げられる。
【００２５】
図３は、本発明の実施の形態で管理される農地状況データの一例を示す図である。本実施の形態では、指導員３０は、日時、各農地に設定された農地ＩＤ、及び対応する生産者のＩＤ（「以下の生産者ＩＤ」と表記する。）と共に、属性情報を入力し、これらを送信する。このため、図３に示すように、指導員３０が入力した各属性（糖度、酸度、サイズ、葉の形等）は、日時、各農地ＩＤ、及び生産者ＩＤに関連付けられた状態で、記憶部２０に格納される。なお、本実施の形態において、指導員３０は、属性情報を、生産者から取得しても良いし、自身が直接農地に赴くことによって取得しても良い。
【００２６】
また、本実施の形態では、通知文作成部１２は、記憶部２０から農地状況データ２１を取得し、これを記憶部２０に格納されている通知文ルール２２（図４参照）に照合することによって、各通知文が適用条件を満たしているかどうかを判定する。
【００２７】
図４は、本発明の実施の形態で用いられる通知文ルールの一例を示す図である。図４に示すように、本実施の形態では、通知文ルール２２は、条件テーブルと、サンプルテーブルとで構成されている。このうち、条件テーブルは、通知文ＩＤ毎の適用条件と通知条件とで構成されている。サンプルテーブルは、通知文ＩＤ毎の通知文の内容で構成されている。
【００２８】
また、条件テーブルにおいて、適用条件は、対応する通知文を通知するための条件であり、時期及び農作物の属性のうち、少なくとも１つを用いて設定されている。通知条件は、通知先となる生産者を特定するための条件であり、生産者レベルと生産者特性とで設定されている。
【００２９】
図４の例では、生産者レベルは、１（経験年数：浅い）、２（経験年数：中程度）、３（経験年数：長い）の３つに分けられている。また、生産者特性は、Ａ（多くの指導を必要としている）と、Ｂ（指導を必要としていない）との２つに分けられている。なお、各生産者における生産者レベル及び生産者特性は、指導員３０によって決定されれば良い。また、生産者レベル及び生産者特性の分け方は特に限定されるものではない。
【００３０】
通知文作成部１２は、通知文ルールに登録されている通知文の中に、適用条件が満たされる通知文が存在する場合は、この通知文と対応する通知条件とを通信部１５に出力する。この場合、通信部１５は、出力されてきた通知文と通知条件とを、指導員３０の端末装置３１に送信する。この結果、指導員３０は、通知すべき通知文と通知先とを知ることができるので、指導員３０における負担は軽減される。
【００３１】
アドバイス作成部１３は、農地毎に、生産者に提示するために予め作成された複数のアドバイスの中から、データ管理部１１によって管理されている属性が、予め設定されている選択状件を満たす、アドバイスを選択する。また、アドバイス作成部１３は、選択したアドバイスを出力する。本実施の形態においては、指導員は、アドバイスの作成においても支援を受けることができる。
【００３２】
本実施の形態では、アドバイス作成部１３は、記憶部２０から農地状況データ２１を取得し、これを記憶部２０に格納されているアドバイスルール２３（図５参照）に照合することによって、農地（農地ＩＤ）毎に、選択状件を満たすアドバイスを選択する。
【００３３】
図５は、本発明の実施の形態で用いられるアドバイスルールの一例を示す図である。図５に示すように、本実施の形態では、アドバイスルールは、条件テーブルと、平均値管理テーブルとで構成されている。
【００３４】
このうち、条件テーブルは、アドバイス毎の選択条件で構成されている。図５の例では、選択条件は、糖度、酸度、サイズ、及び葉の形の少なくとも１つと、適用時期とを含んでいる。また、図５の例では、糖度、酸度、及びサイズにおいて、それぞれの選択条件は、平均値を基準に設定されるが、選択条件の設定はこの態様に限定さるものではない。また、平均値は農作物の成長によって変化するため、本実施の形態では、平均値は、平均値管理テーブルによって時期毎に管理されている。
【００３５】
アドバイス作成部１３は、選択状件を満たすアドバイスが存在していた場合は、それを選択し、選択したアドバイスと、それが対応する農地ＩＤとを、通信部１５に出力する。この場合、通信部１５は、出力されてきたアドバイスと農地ＩＤとを、指導員３０の端末装置３１に送信する。この結果、指導員３０は、提示すべきアドバイスと提示先とを知ることができるので、指導員３０における負担は軽減される。
【００３６】
更に、図５においては明示していないが、アドバイスルール２３の条件テーブルにおいても、図４に示した通知文ルール２２の条件テーブルと同様に、通知条件が設定されていても良い。このような態様とした場合は、アドバイスを本当に必要とする生産者に対してのみ、アドバイスが提示されることになる。
【００３７】
また、成績表管理部１４は、データ管理部１１によって管理されている属性を用いた作成基準に基づいて、農地毎のランクを示す成績表を作成し、作成した成績表を出力する。具体的には、成績表管理部１４は、記憶部２０から農地状況データ２１を取得し、これを記憶部２０に格納されている成績表ルール２４（図６参照）に適用することによって、成績表を作成する。
【００３８】
図６は、本発明の実施の形態で用いられる成績表ルールの一例を示す図である。図６に示すように、本実施の形態では、成績表ルールは、成績表毎に設定された作成基準によって構成されている。各作成基準は、糖度、酸度、サイズ等の属性を用いて設定されている。また、作成基準は、図６に示す例に限定されない。作成基準は、例えば、属性の偏差値を求め、偏差値に基づいてランク付を行なうものであっても良いし、収穫前においては数値のみのランク付を行ない、収穫後に農地ＩＤと生産者とを含めたランク付を行なうものであっても良い。
【００３９】
また、成績表管理部１４は、作成した成績表を、通信部１５に出力する。この場合、通信部１５は、出力されてきた成績表を、指導員３０の端末装置３１に送信するので、指導員３０は、成績表を取得し、これを担当する生産者に配布することができる。
【００４０】
ここで、成績表による効果について説明する。例えば、図６に示すＩＤ＝１又は２の成績表が作成され、これが指導員３０を介して各生産者に配布されたとする。この場合、各生産者は、自身の農地の相対的位置づけを知ることになり、他の生産者に対して競争心を持つようになると考えられる。そして、各生産者は、今まで以上により良い作物を作ろうと考え、改良を行なうため、結果、各生産者において生産性の向上が期待できる。また、ある生産者は、上位の生産者に指導を求め、そのノウハウを取り込もうと考えるので、結果、生産者全体の熟練度の向上も期待できる。
【００４１】
また、生成表が生成されると、指導員３０は、自身が担当する各農地での生育状況を客観的に把握することができる。このため、指導員３０は、より的確な指導を行なうことができるようになる。
【００４２】
更に、本実施の形態において、成績表の表示態様は特に限定されないが、好ましい表示態様としては、各農地（各生産者）の得手不得手が一覧できるような表示態様が挙げられる。具体的には、「総合＝偏差値５７、サイズ＝偏差値４６、糖度＝偏差値６５、酸度＝偏差値５１」といったように、農地毎に、総合成績と各測定項目の成績とが表示される態様が挙げられる。また、このような表示態様が採用されている場合は、指導員３０は、各農地（各生産者）の得手不得手に応じて、最適な栽培方法を提案すること（最適な栽培指導を行うこと）が可能となる。
【００４３】
なお、上記の表示態様において、表示される成績は一例であり、表示される成績は、品種毎に、指導員等によって、定めた設定されていても良い。例えば、農産物が柑橘類である場合ならば、サイズ及び糖度それぞれの成績が表示されているのが好ましい。また、農産物が、ホウレンソウ等の葉物野菜であれば、草丈及び葉色それぞれの成績が表示されているのが好ましい。
【００４４】
［装置動作］
次に、本発明の実施の形態における営農指導支援装置１００の動作について図７〜図１０を用いて説明する。以下の説明においては、適宜図１〜図６を参酌する。また、本実施の形態では、営農指導支援装置１００を動作させることによって、営農指導支援方法が実施される。よって、本実施の形態における営農指導支援方法の説明は、以下の営農指導支援装置１００の動作説明に代える。
【００４５】
まず、図７を用いて、農地状況データの登録処理について説明する。図７は、本発明の実施の形態における営農指導支援装置が農地状況データの登録処理を実行する際の動作を示すフロー図である。
【００４６】
図７に示すように、最初に、データ管理部１１は、指導員３０の端末装置３１から属性情報が送信されてくると、通信部１５を介して、これを受信する（ステップＡ１）。次に、データ処理部１１は、受信した属性情報の農地ＩＤを特定する（ステップＡ２）。
【００４７】
次に、データ処理部１１は、ステップＡ２で特定した農地ＩＤに、ステップＡ１で受信した属性情報を関連付け、両者を農地状況データ２１として、記憶部２０に格納する（ステップＡ３）。ステップＡ３の実行後、データ処理部１１での処理は終了する。
【００４８】
また、データ処理部１１は、属性情報が送信されてくる度に、ステップＡ１〜Ａ３を繰り返し実行する。この結果、記憶部２０に、各農地の農地状況データ２１が格納されることになる。なお、ステップＡ１〜Ａ３は、定期的に実行されても良く、この場合は、ステップＡ１の前に、属性情報が送信されてきているかどうかの判定が行なわれる。
【００４９】
続いて、図８を用いて、通知文作成処理について説明する。図８は、本発明の実施の形態における営農指導支援装置が通知文作成処理を実行する際の動作を示すフロー図である。
【００５０】
図８に示すように、通知文作成部１２は、最初に、記憶部２０から、登録されている農地状況データ２１と通知文ルール２２とを取得する（ステップＢ１）。次に、通知文作成部１２は、ステップＢ１で取得した農地状況データ２１を、同じくステップＢ１で取得した通知文ルール２２に照合し（ステップＢ２）、適用条件を満たす通知文が存在しているかどうかを判定する（ステップＢ３）。
【００５１】
ステップＢ３の判定の結果、適用条件を満たす通知文が存在していない場合は、通知文作成部１２は、処理を終了する。一方、ステップＢ３の判定の結果、適用条件を満たす通知文が存在している場合は、通知文作成部１２は、この通知文と対応する通知条件とを、通信部１５に、指導員３０の端末装置３１へと送信させる（ステップＢ４）。また、ステップＢ１〜Ｂ４は、本実施の形態では、一定間隔で定期的に実行される。これにより、指導員３０は、生産者に通知すべき通知文と通知先とを知ることができる。
【００５２】
続いて、図９を用いて、アドバイス作成処理について説明する。図９は、本発明の実施の形態における営農指導支援装置がアドバイス作成処理を実行する際の動作を示すフロー図である。
【００５３】
図９に示すように、アドバイス作成部１３は、最初に、記憶部２０から、登録されている農地状況データ２１とアドバイスルール２３とを取得する（ステップＣ１）。次に、アドバイス作成部１３は、ステップＣ１で取得した農地状況データ２１を、同じくステップＣ１で取得したアドバイスルール２３に照合し（ステップＣ２）、選択条件を満たすアドバイスが存在しているかどうかを判定する（ステップＣ３）。
【００５４】
ステップＣ３の判定の結果、選択条件を満たすアドバイスが存在していない場合は、アドバイス作成部１３は、処理を終了する。一方、ステップＣ３の判定の結果、選択条件を満たすアドバイスが存在している場合は、アドバイス作成部１３は、このアドバイスと対応する農地ＩＤとを、通信部１５に、指導員３０の端末装置３１へと送信させる（ステップＣ４）。また、ステップＣ１〜Ｃ４は、本実施の形態では、一定間隔で定期的に実行される。これにより、指導員３０は、提示すべきアドバイスと提示先となる生産者とを知ることができる。
【００５５】
続いて、図１０を用いて、成績表作成処理について説明する。図１０は、本発明の実施の形態における営農指導支援装置が成績表作成処理を実行する際の動作を示すフロー図である。
【００５６】
図１０に示すように、成績表作成部１４は、最初に、記憶部２０から、登録されている農地状況データ２１と成績表ルール２４とを取得する（ステップＤ１）。次に、成績表作成部１４は、ステップＤ１で取得した農地状況データ２１を、同じくステップＤ１で取得した成績表ルール２４に適用し（ステップＤ２）、成績表を作成できるかどうかを判定する（ステップＤ３）。
【００５７】
ステップＤ３の判定の結果、成績表を作成できない場合は、成績表作成部１４は、処理を終了する。一方、ステップＤ３の判定の結果、成績表を作成できる場合は、成績表作成部１４は、成績表を作成し、作成した成績表を、通信部１５に、指導員３０の端末装置３１へと送信させる（ステップＤ４）。また、ステップＤ１〜Ｄ４は、本実施の形態では、一定間隔で定期的に実行される。これにより、指導員３０は、成績表を取得することができ、これを各生産者に配布することができる。
【００５８】
以上のように、本実施の形態によれば、指導員３０は、担当する農地のデータ管理と、通知文の作成と、アドバイスの作成とにおいて、支援を受けることができるので、指導員における業務の効率化及び負担の軽減が図られることになる。また、本実施の形態では、生産者の成績表が作成されるので、指導員は、成績表を用いることによって、各生産者におけるモチベーションの向上を図ることができ、ひいては、生産者全体の生産性及び熟練度の向上が図られる。
【００５９】
［プログラム］
本実施の形態におけるプログラムは、コンピュータに、図７に示すステップＡ１〜Ａ３、図８に示すステップＢ１〜Ｂ４、図９に示すステップＣ１〜Ｃ４、図１０に示すステップＤ１〜Ｄ４を実行させるプログラムであれば良い。このプログラムをコンピュータにインストールし、実行することによって、本実施の形態における営農指導支援装置１００と営農支援指導方法とを実現することができる。この場合、コンピュータのＣＰＵ（Central Processing Unit）は、データ管理部１１、通知文作成部１２、アドバイス作成部１３、及び成績表作成部１４として機能し、処理を行なう。また、コンピュータに備えられたハードディスク等の記憶装置は、記憶部２０として機能する。
【００６０】
ここで、本実施の形態におけるプログラムを実行することによって、営農指導支援装置１００を実現するコンピュータについて図１１を用いて説明する。図１１は、本発明の実施の形態における営農指導支援装置を実現するコンピュータの一例を示すブロック図である。
【００６１】
図１１に示すように、コンピュータ１１０は、ＣＰＵ１１１と、メインメモリ１１２と、記憶装置１１３と、入力インターフェイス１１４と、表示コントローラ１１５と、データリーダ／ライタ１１６と、通信インターフェイス１１７とを備える。これらの各部は、バス１２１を介して、互いにデータ通信可能に接続される。
【００６２】
ＣＰＵ１１１は、記憶装置１１３に格納された、本実施の形態におけるプログラム（コード）をメインメモリ１１２に展開し、これらを所定順序で実行することにより、各種の演算を実施する。メインメモリ１１２は、典型的には、ＤＲＡＭ（Dynamic Random Access Memory）等の揮発性の記憶装置である。また、本実施の形態におけるプログラムは、コ
ンピュータ読み取り可能な記録媒体１２０に格納された状態で提供される。なお、本実施の形態におけるプログラムは、通信インターフェイス１１７を介して接続されたインターネット上で流通するものであっても良い。
【００６３】
また、記憶装置１１３の具体例としては、ハードディスクの他、フラッシュメモリ等の半導体記憶装置が挙げられる。入力インターフェイス１１４は、ＣＰＵ１１１と、キーボード及びマウスといった入力機器１１８との間のデータ伝送を仲介する。表示コントローラ１１５は、ディスプレイ装置１１９と接続され、ディスプレイ装置１１９での表示を制御する。
【００６４】
データリーダ／ライタ１１６は、ＣＰＵ１１１と記録媒体１２０との間のデータ伝送を仲介し、記録媒体１２０からのプログラムの読み出し、及びコンピュータ１１０における処理結果の記録媒体１２０への書き込みを実行する。通信インターフェイス１１７は、通信部として機能するデバイスであり、ＣＰＵ１１１と、他のコンピュータとの間のデータ伝送を仲介する。
【００６５】
また、記録媒体１２０の具体例としては、ＣＦ（Compact Flash（登録商標））及びＳＤ（Secure Digital）等の汎用的な半導体記憶デバイス、フレキシブルディスク（Flexible Disk）等の磁気記憶媒体、又はＣＤ−ＲＯＭ（Compact Disk Read Only Memory）などの光学記憶媒体が挙げられる。
【００６６】
上述した実施の形態の一部又は全部は、以下に記載する（付記１）〜（付記１５）によって表現することができるが、以下の記載に限定されるものではない。
【００６７】
（付記１）
指導員による生産者への営農指導を支援するための装置であって、
農地毎に、当該農地における農作物の属性を管理する、データ管理部と、
前記生産者に通知すべき通知文毎に、当該通知文について予め設定された適用条件が満たされているかどうかを判定し、前記適用条件を満たす通知文が存在する場合に、前記適用条件を満たす通知文、及びその通知対象となる前記生産者を特定する情報を出力する、通知文作成部と、
を備えている、ことを特徴とする営農指導支援装置。
【００６８】
（付記２）
前記農産物が果実である場合に、前記データ管理部が、前記農産物の属性として、糖度、酸度、サイズ、及び葉の形を管理する、
付記１に記載の営農指導支援装置。
【００６９】
（付記３）
前記適用条件が、時期及び前記農作物の属性のうち、少なくとも１つを用いて設定されている、付記１に記載の営農指導支援装置。
【００７０】
（付記４）
前記データ管理部によって管理されている前記属性を用いた作成基準に基づいて、前記農地毎のランクを示す成績表を作成し、作成した前記成績表を出力する、成績表管理部を、更に備えている、
付記１に記載の営農指導支援装置。
【００７１】
（付記５）
前記農地毎に、前記生産者に提示するために予め作成された複数のアドバイスの中から、前記データ管理部によって管理されている前記属性が、予め設定されている選択状件を満たす、アドバイスを選択し、選択した前記アドバイスを出力する、アドバイス作成部を、更に備えている、
付記１に記載の営農指導支援装置。
【００７２】
（付記６）
指導員による生産者への営農指導を支援するための方法であって、
（ａ）農地毎に、当該農地における農作物の属性を管理する、ステップと、
（ｂ）前記生産者に通知すべき通知文毎に、当該通知文について予め設定された適用条件が満たされているかどうかを判定し、前記適用条件を満たす通知文が存在する場合に、前記適用条件を満たす通知文、及びその通知対象となる前記生産者を特定する情報を出力する、ステップと、
を有する、ことを特徴とする営農指導支援方法。
【００７３】
（付記７）
前記農産物が果実である場合に、前記（ａ）のステップにおいて、前記農産物の属性として、糖度、酸度、サイズ、及び葉の形を管理する、
付記６に記載の営農指導支援方法。
【００７４】
（付記８）
前記適用条件が、時期及び前記農作物の属性のうち、少なくとも１つを用いて設定されている、付記６に記載の営農指導支援方法。
【００７５】
（付記９）
（ｃ）前記（ａ）のステップによって管理されている前記属性を用いた作成基準に基づいて、前記農地毎のランクを示す成績表を作成し、作成した前記成績表を出力する、ステップを、更に有する、付記６に記載の営農指導支援方法。
【００７６】
（付記１０）
（ｄ）前記農地毎に、前記生産者に提示するために予め作成された複数のアドバイスの中から、前記（ａ）のステップによって管理されている前記属性が、予め設定されている選択状件を満たす、アドバイスを選択し、選択した前記アドバイスを出力する、ステップを、更に有する、付記６に記載の営農指導支援方法。
【００７７】
（付記１１）
コンピュータによって、指導員による生産者への営農指導を支援するためのプログラムを記録したコンピュータ読み取り可能な記録媒体であって、
前記コンピュータに、
（ａ）農地毎に、当該農地における農作物の属性を管理する、ステップと、
（ｂ）前記生産者に通知すべき通知文毎に、当該通知文について予め設定された適用条件が満たされているかどうかを判定し、前記適用条件を満たす通知文が存在する場合に、前記適用条件を満たす通知文、及びその通知対象となる前記生産者を特定する情報を出力する、ステップと、
を実行させる命令を含む、プログラムを記録しているコンピュータ読み取り可能な記録媒体。
【００７８】
（付記１２）
前記農産物が果実である場合に、前記（ａ）のステップにおいて、前記農産物の属性として、糖度、酸度、サイズ、及び葉の形を管理する、
付記１１に記載のコンピュータ読み取り可能な記録媒体。
【００７９】
（付記１３）
前記適用条件が、時期及び前記農作物の属性のうち、少なくとも１つを用いて設定されている、付記１１に記載のコンピュータ読み取り可能な記録媒体。
【００８０】
（付記１４）
前記プログラムが、前記コンピュータに、
（ｃ）前記（ａ）のステップによって管理されている前記属性を用いた作成基準に基づいて、前記農地毎のランクを示す成績表を作成し、作成した前記成績表を出力する、ステップを、実行させる命令を更に含む、付記１１に記載のコンピュータ読み取り可能な記録媒体。
【００８１】
（付記１５）
前記プログラムが、前記コンピュータに、
（ｄ）前記農地毎に、前記生産者に提示するために予め作成された複数のアドバイスの中から、前記（ａ）のステップによって管理されている前記属性が、予め設定されている選択状件を満たす、アドバイスを選択し、選択した前記アドバイスを出力する、ステップを、実行させる命令を更に含む、付記１１に記載のコンピュータ読み取り可能な記録媒体。
【００８２】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【００８３】
この出願は、２０１４年５月２７日に出願された日本出願特願２０１４−１０９３３３を基礎とする優先権を主張し、その開示の全てをここに取り込む。
【産業上の利用可能性】
【００８４】
以上のように、本発明によれば、農業支援を行なう指導員の業務の効率化を図り、指導員における負担を軽減することができる。本発明は、農業分野において有用である。
【符号の説明】
【００８５】
１１  データ管理部
１２  通知文作成部
１３  アドバイス作成部
１４  成績表作成部
１５  通信部
２０  記憶部
２１  農地状況データ
２２  通知文ルール
２３  アドバイスルール
２４  成績表ルール
１００  営農指導支援装置
１１０  コンピュータ
１１１  ＣＰＵ
１１２  メインメモリ
１１３  記憶装置
１１４  入力インターフェイス
１１５  表示コントローラ
１１６  データリーダ／ライタ
１１７  通信インターフェイス
１１８  入力機器
１１９  ディスプレイ装置
１２０  記録媒体
１２１  バス
【図１】
2015182378.tif 000003
【図２】
2015182378.tif 000004
【図３】
2015182378.tif 000005
【図４】
2015182378.tif 000006
【図５】
2015182378.tif 000007
【図６】
2015182378.tif 000008
【図７】
2015182378.tif 000009
【図８】
2015182378.tif 000010
【図９】
2015182378.tif 000011
【図１０】
2015182378.tif 000012
【図１１】
2015182378.tif 000013
【手続補正書】
【提出日】平成28年11月10日(2016.11.10)
【手続補正１】
【補正対象書類名】特許請求の範囲
【補正対象項目名】全文
【補正方法】変更
【補正の内容】
【特許請求の範囲】
【請求項１】
指導員による生産者への営農指導を支援するための装置であって、
農地毎に、当該農地における農作物の属性を管理する、データ管理部と、
前記生産者に通知すべき通知文毎に、当該通知文について予め設定された適用条件が満たされているかどうかを判定し、前記適用条件を満たす通知文が存在する場合に、前記適用条件を満たす通知文、及びその通知対象となる前記生産者を特定する情報を出力する、通知文作成部と、
を備えている、ことを特徴とする営農指導支援装置。
【請求項２】
前記農産物が果実である場合に、前記データ管理部が、前記農産物の属性として、糖度、酸度、サイズ、及び葉の形を管理する、
請求項１に記載の営農指導支援装置。
【請求項３】
前記適用条件が、時期及び前記農作物の属性のうち、少なくとも１つを用いて設定されている、請求項１または２に記載の営農指導支援装置。
【請求項４】
前記データ管理部によって管理されている前記属性を用いた作成基準に基づいて、前記農地毎のランクを示す成績表を作成し、作成した前記成績表を出力する、成績表作成部を、更に備えている、
請求項１〜３のいずれかに記載の営農指導支援装置。
【請求項５】
前記農地毎に、前記生産者に提示するために予め作成された複数のアドバイスの中から、前記データ管理部によって管理されている前記属性が、予め設定されている選択条件を満たす、アドバイスを選択し、選択した前記アドバイスを出力する、アドバイス作成部を、更に備えている、
請求項１〜４のいずれかに記載の営農指導支援装置。
【請求項６】
指導員による生産者への営農指導を支援するための方法であって、
（ａ）農地毎に、当該農地における農作物の属性を管理する、ステップと、
（ｂ）前記生産者に通知すべき通知文毎に、当該通知文について予め設定された適用条件が満たされているかどうかを判定し、前記適用条件を満たす通知文が存在する場合に、前記適用条件を満たす通知文、及びその通知対象となる前記生産者を特定する情報を出力する、ステップと、
を有する、ことを特徴とする営農指導支援方法。
【請求項７】
前記農産物が果実である場合に、前記（ａ）のステップにおいて、前記農産物の属性として、糖度、酸度、サイズ、及び葉の形を管理する、
請求項６に記載の営農指導支援方法。
【請求項８】
前記適用条件が、時期及び前記農作物の属性のうち、少なくとも１つを用いて設定されている、請求項６または７に記載の営農指導支援方法。
【請求項９】
（ｃ）前記（ａ）のステップによって管理されている前記属性を用いた作成基準に基づいて、前記農地毎のランクを示す成績表を作成し、作成した前記成績表を出力する、ステップを、更に有する、請求項６〜８のいずれかに記載の営農指導支援方法。
【請求項１０】
（ｄ）前記農地毎に、前記生産者に提示するために予め作成された複数のアドバイスの中から、前記（ａ）のステップによって管理されている前記属性が、予め設定されている選択条件を満たす、アドバイスを選択し、選択した前記アドバイスを出力する、ステップを、更に有する、請求項６〜９のいずれかに記載の営農指導支援方法。
【請求項１１】
コンピュータによって、指導員による生産者への営農指導を支援するためのプログラムであって、
前記コンピュータに、
（ａ）農地毎に、当該農地における農作物の属性を管理する、ステップと、
（ｂ）前記生産者に通知すべき通知文毎に、当該通知文について予め設定された適用条件が満たされているかどうかを判定し、前記適用条件を満たす通知文が存在する場合に、前記適用条件を満たす通知文、及びその通知対象となる前記生産者を特定する情報を出力する、ステップと、
を実行させる、プログラム。
【請求項１２】
前記農産物が果実である場合に、前記（ａ）のステップにおいて、前記農産物の属性として、糖度、酸度、サイズ、及び葉の形を管理する、
請求項１１に記載のプログラム。
【請求項１３】
前記適用条件が、時期及び前記農作物の属性のうち、少なくとも１つを用いて設定されている、請求項１１または１２に記載のプログラム。
【請求項１４】
前記コンピュータに、
（ｃ）前記（ａ）のステップによって管理されている前記属性を用いた作成基準に基づいて、前記農地毎のランクを示す成績表を作成し、作成した前記成績表を出力する、ステップを、更に実行させる、請求項１１〜１３のいずれかに記載のプログラム。
【請求項１５】
前記コンピュータに、
（ｄ）前記農地毎に、前記生産者に提示するために予め作成された複数のアドバイスの中から、前記（ａ）のステップによって管理されている前記属性が、予め設定されている選択条件を満たす、アドバイスを選択し、選択した前記アドバイスを出力する、ステップを、更に実行させる、請求項１１〜１４のいずれかに記載のプログラム。
【手続補正３】
【補正対象書類名】明細書
【補正対象項目名】０００１
【補正方法】変更
【補正の内容】
【０００１】
本発明は、指導員による生産者への営農指導を支援する、営農指導支援装置、営農指導支援方法、及びこれらを実現するためのプログラムに関する。
【手続補正４】
【補正対象書類名】明細書
【補正対象項目名】００１０
【補正方法】変更
【補正の内容】
【００１０】
本発明の目的の一例は、上記問題を解消し、農業支援を行なう指導員の業務の効率化を図り、指導員における負担を軽減し得る、営農指導支援装置、営農指導支援方法、及びプログラムを提供することにある。
【手続補正５】
【補正対象書類名】明細書
【補正対象項目名】００１３
【補正方法】変更
【補正の内容】
【００１３】
更に、上記目的を達成するため、本発明の一側面におけるプログラムは、コンピュータによって、指導員による生産者への営農指導を支援するためのプログラムであって、
前記コンピュータに、
（ａ）農地毎に、当該農地における農作物の属性を管理する、ステップと、
（ｂ）前記生産者に通知すべき通知文毎に、当該通知文について予め設定された適用条件が満たされているかどうかを判定し、前記適用条件を満たす通知文が存在する場合に、前記適用条件を満たす通知文、及びその通知対象となる前記生産者を特定する情報を出力する、ステップと、
を実行させる、ことを特徴とする。
【手続補正６】
【補正対象書類名】明細書
【補正対象項目名】００１９
【補正方法】変更
【補正の内容】
【００１９】
データ管理部１１は、農地毎に、各農地における農作物の属性を管理している。通知文作成部１２は、生産者に通知すべき通知文毎に、各通知文について予め設定された適用条件が満たされているかどうかを判定する。また、通知文作成部１２は、適用条件を満たす通知文が存在する場合に、適用条件を満たす通知文、及びその通知対象となる生産者を特定する情報を出力する。
【手続補正７】
【補正対象書類名】明細書
【補正対象項目名】００３２
【補正方法】変更
【補正の内容】
【００３２】
本実施の形態では、アドバイス作成部１３は、記憶部２０から農地状況データ２１を取得し、これを記憶部２０に格納されているアドバイスルール２３（図５参照）に照合することによって、農地（農地ＩＤ）毎に、選択条件を満たすアドバイスを選択する。
【手続補正８】
【補正対象書類名】明細書
【補正対象項目名】００３５
【補正方法】変更
【補正の内容】
【００３５】
アドバイス作成部１３は、選択条件を満たすアドバイスが存在していた場合は、それを選択し、選択したアドバイスと、それが対応する農地ＩＤとを、通信部１５に出力する。この場合、通信部１５は、出力されてきたアドバイスと農地ＩＤとを、指導員３０の端末装置３１に送信する。この結果、指導員３０は、提示すべきアドバイスと提示先とを知ることができるので、指導員３０における負担は軽減される。
【手続補正９】
【補正対象書類名】明細書
【補正対象項目名】００３７
【補正方法】変更
【補正の内容】
【００３７】
また、成績表作成部１４は、データ管理部１１によって管理されている属性を用いた作成基準に基づいて、農地毎のランクを示す成績表を作成し、作成した成績表を出力する。具体的には、成績表作成部１４は、記憶部２０から農地状況データ２１を取得し、これを記憶部２０に格納されている成績表ルール２４（図６参照）に適用することによって、成績表を作成する。
【手続補正１０】
【補正対象書類名】明細書
【補正対象項目名】００３９
【補正方法】変更
【補正の内容】
【００３９】
また、成績表作成部１４は、作成した成績表を、通信部１５に出力する。この場合、通信部１５は、出力されてきた成績表を、指導員３０の端末装置３１に送信するので、指導員３０は、成績表を取得し、これを担当する生産者に配布することができる。
【手続補正１１】
【補正対象書類名】明細書
【補正対象項目名】００４３
【補正方法】変更
【補正の内容】
【００４３】
なお、上記の表示態様において、表示される成績は一例であり、表示される成績は、品種毎に、指導員等によって、設定されていても良い。例えば、農産物が柑橘類である場合ならば、サイズ及び糖度それぞれの成績が表示されているのが好ましい。また、農産物が、ホウレンソウ等の葉物野菜であれば、草丈及び葉色それぞれの成績が表示されているのが好ましい。
【手続補正１２】
【補正対象書類名】明細書
【補正対象項目名】００４６
【補正方法】変更
【補正の内容】
【００４６】
図７に示すように、最初に、データ管理部１１は、指導員３０の端末装置３１から属性情報が送信されてくると、通信部１５を介して、これを受信する（ステップＡ１）。次に、データ管理部１１は、受信した属性情報の農地ＩＤを特定する（ステップＡ２）。
【手続補正１３】
【補正対象書類名】明細書
【補正対象項目名】００４７
【補正方法】変更
【補正の内容】
【００４７】
次に、データ管理部１１は、ステップＡ２で特定した農地ＩＤに、ステップＡ１で受信した属性情報を関連付け、両者を農地状況データ２１として、記憶部２０に格納する（ステップＡ３）。ステップＡ３の実行後、データ管理部１１での処理は終了する。
【手続補正１４】
【補正対象書類名】明細書
【補正対象項目名】００４８
【補正方法】変更
【補正の内容】
【００４８】
また、データ管理部１１は、属性情報が送信されてくる度に、ステップＡ１〜Ａ３を繰り返し実行する。この結果、記憶部２０に、各農地の農地状況データ２１が格納されることになる。なお、ステップＡ１〜Ａ３は、定期的に実行されても良く、この場合は、ステップＡ１の前に、属性情報が送信されてきているかどうかの判定が行なわれる。
【手続補正１５】
【補正対象書類名】明細書
【補正対象項目名】００５９
【補正方法】変更
【補正の内容】
【００５９】
［プログラム］
本実施の形態におけるプログラムは、コンピュータに、図７に示すステップＡ１〜Ａ３、図８に示すステップＢ１〜Ｂ４、図９に示すステップＣ１〜Ｃ４、図１０に示すステップＤ１〜Ｄ４を実行させるプログラムであれば良い。このプログラムをコンピュータにインストールし、実行することによって、本実施の形態における営農指導支援装置１００と営農指導支援方法とを実現することができる。この場合、コンピュータのＣＰＵ（Central Processing Unit）は、データ管理部１１、通知文作成部１２、アドバイス作成部１３、及び成績表作成部１４として機能し、処理を行なう。また、コンピュータに備えられたハードディスク等の記憶装置は、記憶部２０として機能する。
【手続補正１６】
【補正対象書類名】明細書
【補正対象項目名】００６２
【補正方法】変更
【補正の内容】
【００６２】
ＣＰＵ１１１は、記憶装置１１３に格納された、本実施の形態におけるプログラム（コード）をメインメモリ１１２に展開し、これらを所定順序で実行することにより、各種の演算を実施する。メインメモリ１１２は、典型的には、ＤＲＡＭ（Dynamic Random Access Memory）等の揮発性の記憶装置である。また、本実施の形態におけるプログラムは、コンピュータ読み取り可能な記録媒体１２０に格納された状態で提供される。なお、本実施の形態におけるプログラムは、通信インターフェイス１１７を介して接続されたインターネット上で流通するものであっても良い。
【手続補正１７】
【補正対象書類名】明細書
【補正対象項目名】００７０
【補正方法】変更
【補正の内容】
【００７０】
（付記４）
前記データ管理部によって管理されている前記属性を用いた作成基準に基づいて、前記農地毎のランクを示す成績表を作成し、作成した前記成績表を出力する、成績表作成部を、更に備えている、
付記１に記載の営農指導支援装置。
【手続補正１８】
【補正対象書類名】明細書
【補正対象項目名】００７１
【補正方法】変更
【補正の内容】
【００７１】
（付記５）
前記農地毎に、前記生産者に提示するために予め作成された複数のアドバイスの中から、前記データ管理部によって管理されている前記属性が、予め設定されている選択条件を満たす、アドバイスを選択し、選択した前記アドバイスを出力する、アドバイス作成部を、更に備えている、
付記１に記載の営農指導支援装置。
【手続補正１９】
【補正対象書類名】明細書
【補正対象項目名】００７６
【補正方法】変更
【補正の内容】
【００７６】
（付記１０）
（ｄ）前記農地毎に、前記生産者に提示するために予め作成された複数のアドバイスの中から、前記（ａ）のステップによって管理されている前記属性が、予め設定されている選択条件を満たす、アドバイスを選択し、選択した前記アドバイスを出力する、ステップを、更に有する、付記６に記載の営農指導支援方法。
【手続補正２０】
【補正対象書類名】明細書
【補正対象項目名】００７７
【補正方法】変更
【補正の内容】
【００７７】
（付記１１）
コンピュータによって、指導員による生産者への営農指導を支援するためのプログラムであって、
前記コンピュータに、
（ａ）農地毎に、当該農地における農作物の属性を管理する、ステップと、
（ｂ）前記生産者に通知すべき通知文毎に、当該通知文について予め設定された適用条件が満たされているかどうかを判定し、前記適用条件を満たす通知文が存在する場合に、前記適用条件を満たす通知文、及びその通知対象となる前記生産者を特定する情報を出力する、ステップと、
を実行させる、プログラム。
【手続補正２１】
【補正対象書類名】明細書
【補正対象項目名】００７８
【補正方法】変更
【補正の内容】
【００７８】
（付記１２）
前記農産物が果実である場合に、前記（ａ）のステップにおいて、前記農産物の属性として、糖度、酸度、サイズ、及び葉の形を管理する、
付記１１に記載のプログラム。
【手続補正２２】
【補正対象書類名】明細書
【補正対象項目名】００７９
【補正方法】変更
【補正の内容】
【００７９】
（付記１３）
前記適用条件が、時期及び前記農作物の属性のうち、少なくとも１つを用いて設定されている、付記１１に記載のプログラム。
【手続補正２３】
【補正対象書類名】明細書
【補正対象項目名】００８０
【補正方法】変更
【補正の内容】
【００８０】
（付記１４）
前記コンピュータに、
（ｃ）前記（ａ）のステップによって管理されている前記属性を用いた作成基準に基づいて、前記農地毎のランクを示す成績表を作成し、作成した前記成績表を出力する、ステップを、更に実行させる、付記１１に記載のプログラム。
【手続補正２４】
【補正対象書類名】明細書
【補正対象項目名】００８１
【補正方法】変更
【補正の内容】
【００８１】
（付記１５）
前記コンピュータに、
（ｄ）前記農地毎に、前記生産者に提示するために予め作成された複数のアドバイスの中から、前記（ａ）のステップによって管理されている前記属性が、予め設定されている選択状件を満たす、アドバイスを選択し、選択した前記アドバイスを出力する、ステップを、更に実行させる、付記１１に記載のプログラム。
【国際調査報告】
2015182378.tif 000014
2015182378.tif 000015